(57)【要約】      （修正有）【課題】 刺しゅう縫い模様とリボン縫付け（取付け）位置としての穴かがりとを関係づけ、刺しゅうバリエーションを飛躍的に増大させること。【解決手段】 複数の縫い目データ等の模様データを記憶する模様データ記憶手段３と、複数の刺しゅう模様の表示データを記憶する表示データ記憶手段４と、該表示データ記憶手段４に記憶された模様を選択可能に表示するための模様表示手段５と、該模様表示手段５に表示された模様から模様を選択するための模様選択手段２とを備えていること。前記表示データに関連した前記模様データは、その一部に、リボン，ビーズ，紐等の連続状装飾体Ｃを通過させるための穴位置形成データを含み、該穴位置形成データは、穴かがりＲをする縫い目を形成可能としてなること。【選択図】図１
2005046638.tif 000002
【特許請求の範囲】
【請求項１】
複数の縫い目データ等の模様データを記憶する模様データ記憶手段と、複数の刺しゅう模様の表示データを記憶する表示データ記憶手段と、該表示データ記憶手段に記憶された模様を選択可能に表示するための模様表示手段と、該模様表示手段に表示された模様から模様を選択するための模様選択手段とを備え、前記表示データに関連した前記模様データは、その一部に、リボン，ビーズ，紐を含む連続状装飾体を通過させてリボン刺しゅうするための穴かがり縫い目を形成する穴位置形成データを含み、該穴位置形成データは、穴位置を穴かがりする縫い目を形成可能としてなると共に、刺しゅう模様の縫い目と、穴かがりを示す縫い目とを前後に独立して形成可能としてなることを特徴とする刺しゅう機能付きミシン。
【請求項２】
請求項１において、所定の位置の前記穴かがりを表示する穴位置表示データを記憶する穴表示データ記憶部と、前記穴かがりの位置を適宜変更する穴位置変更手段と、穴かがりの位置を変更した位置に縫い目を形成する穴位置変更データと変更した穴位置を表示する穴位置変更表示データとを記憶する位置変更データ記憶手段とを備えてなることを特徴とする刺しゅう機能付きミシン。
【請求項３】
請求項１又は２において、穴かがりの穴径を記憶する穴径データ記憶手段と、穴かがりの穴径を適宜変更する穴径変更手段と、変更した穴径として縫い目を形成する穴径変更データと変更した穴径を表示する穴径変更表示データとを記憶する穴径変更データ記憶手段とを備えてあることを特徴とする刺しゅう機能付きミシン。
【請求項４】
請求項１において、前記穴位置形成データは、リボン等を重ねるために、重複する位置に形成されてなることを特徴とする刺しゅう機能付きミシン。
【発明の詳細な説明】
【技術分野】
【０００１】
この発明は刺しゅう縫い模様とリボン縫付け（取付け）位置としての穴かがりとを関係づけ、刺しゅうバリエーションを飛躍的に増大させ得る刺しゅう機能付きミシンに関する。
【背景技術】
【０００２】
従来より、刺しゅう機能付きミシンにおいて、刺しゅう縫い模様を一定なものにし、その外には、例えば、リボンを縫付けるようにしたもの等は全く存在しなかった。そのリボンを適宜に縫付けるためのリボン挿通位置を特定することは、熟練度を要し、極めて難しいものであった。そのリボン刺しゅうは、一般に手による作業で一針ずつ縫いを行っていた。このように、刺しゅう縫い模様と、リボン刺しゅうとを関係づけ、リボン刺しゅうのための穴位置に穴かがりを縫製し、バリエーションを増加するようなものは一切存在していない。
【発明の開示】
【発明が解決しようとする課題】
【０００３】
刺しゅう縫い模様は、刺しゅう糸を用いてのみ行われており、その縫製状態は、常に均一のものであり、縫い目形成方向等によりその形態を変えることしかできなかった。また、その形態に対し、リボンや紐によるアクセントを付ける場合には、手作業で縫付ける等の作業を行うことしかなく、刺しゅう縫い模様とリボン縫付け位置を関係づけることは極めて面倒であった。また、布に対し、カッターやポンチ等で穴をあけた場合には、布地を傷めたり、布が破れる等の重大な弊害があった。
【課題を解決するための手段】
【０００４】
そこで発明者は、前記課題を解決すべく、鋭意，研究を重ねた結果、その発明を、複数の縫い目データ等の模様データを記憶する模様データ記憶手段と、複数の刺しゅう模様の表示データを記憶する表示データ記憶手段と、該表示データ記憶手段に記憶された模様を選択可能に表示するための模様表示手段と、該模様表示手段に表示された模様から模様を選択するための模様選択手段とを備え、前記表示データに関連した前記模様データは、その一部に、リボン，ビーズ，紐を含む連続状装飾体を通過させてリボン刺しゅうするための穴かがり縫い目を形成する穴位置形成データを含み、該穴位置形成データは、穴位置を穴かがりする縫い目を形成可能としてなると共に、刺しゅう模様の縫い目と、穴かがりを示す縫い目とを前後に独立して形成可能としてなることを特徴とする刺しゅう機能付きミシンとしたことにより、刺しゅう機能付きミシンにおける刺しゅうバリエーションを増やし、刺しゅう縫いと同時に、リボン，ビーズ，紐等の連続状装飾体を通過させるための穴かがり縫いを行ない、刺しゅう縫い模様とリボン縫付け位置を関係づけることができ、これによって、刺しゅう模様に加えて、従来難しかったリボン刺しゅう、紐刺しゅう等を簡単で、しかも優美に行なうことができ、前記の課題を解決したものである。
また、本発明は、所定の位置の前記穴かがりを表示する穴位置表示データを記憶する穴表示データ記憶部と、前記穴かがりの位置を適宜変更する穴位置変更手段と、穴かがりの位置を変更した位置に縫い目を形成する穴位置変更データと変更した穴位置を表示する穴位置変更表示データとを記憶する位置変更データ記憶手段とを備えてなることを特徴とする刺しゅう機能付きミシンとすることで課題を解決した。
また本発明は、穴かがりの穴径を記憶する穴径データ記憶手段と、穴かがりの穴径を適宜変更する穴径変更手段と、変更した穴径として縫い目を形成する穴径変更データと変更した穴径を表示する穴径変更表示データとを記憶する穴径変更データ記憶手段とを備えてあることを特徴とする刺しゅう機能付きミシンとすることで課題を解決した。
また、本発明は、前記穴位置形成データは、リボン等を重ねるために、重複する位置に形成されてなることを特徴とする刺しゅう機能付きミシンとすることで課題を解決した。
これは、刺しゅう機能付きミシンの電源を入れ、リボン刺しゅうモードを選択した場合、刺しゅう模様群を前記表示データ記憶手段から読み出し、これら刺しゅう模様群を模様表示手段に表示する。そして、所望の刺しゅう模様を模様選択手段の模様選択キーを操作して適宜選択する。そして、その刺しゅう模様を別のものを選択するかの判断をなし、刺しゅう模様を変更しない場合には、刺しゅう模様がそれでよいとして刺しゅう模様を確定しその選択された刺しゅう模様が模様表示手段に模様表示される。そして、刺しゅう機能付きミシンに刺しゅう枠を取り付け、刺しゅう模様の縫製作業を開始して縫製し、次いで刺しゅう模様の内部又は最適位置に、穴かがり縫いを開始して縫製する。或いは、穴かがり縫いを開始して縫製し、次いで刺しゅう模様の縫製作業を開始して縫製し、刺しゅう模様の縫製作業及び穴かがり縫いを終了することで課題を解決した。
【発明の効果】
【０００５】
本発明においては、第一に、複数の縫い目データ等の模様データを記憶する模様データ記憶手段３と、複数の刺しゅう模様の表示データを記憶する表示データ記憶手段４と、該表示データ記憶手段４に記憶された模様を選択可能に表示するための模様表示手段５と、該模様表示手段５に表示された模様から模様を選択するための模様選択手段２とを備え、前記表示データに関連した前記模様データは、その一部に、リボン，ビーズ，紐等の連続状装飾体Ｃを通過させるための穴位置形成データを含み、該穴位置形成データは、穴かがりＲをする縫い目を形成可能としてなる刺しゅう機能付きミシンとしたことにより、第１に刺しゅう縫い模様とリボン縫付け位置を関係づけることが極めて簡単にでき、これによって刺しゅう機能付きミシンにおける刺しゅうバリエーションを増やすことができ、第２に穴かがりＲ内に穴をあけても、その刺しゅうによる穴かがりＲにて布の補強となり、リボン刺しゅうしてもほつれず良好にできるし、第３に穴かがりＲ箇所を穴あけすれば、従来難しかったリボン刺しゅう等を簡単に行なうことができる利点がある。
特に、刺しゅう縫いと同時に、その刺しゅう模様の一部に、リボン等の連続状装飾体Ｃを通過させるための穴かがりＲを付けることができ、布に対し、カッターやポンチ等で穴をあけた場合には、布地を傷めたり、布が破れる等の重大な弊害を防止し、薄い布であっても、その穴かがりＲの縫い目が補強部となり、リボン刺しゅうを長期に亘って整然とした仕上がりを保持することができるし、さらに、その穴かがりＲ箇所は、リボン刺しゅうするための目安ができ、その穴かがりＲをポンチＰ等で穴部Ｈとして穴あけした後に、リボン刺しゅう，紐刺しゅう等を簡単に行なうことができる。従来、極めて困難であったのは、刺しゅう縫い模様とリボン縫付け位置を関係づけることであったが、これを一挙に解決して、刺しゅう縫い模様とリボン縫付け位置を関係づけることが簡単にでき、これによって、刺しゅうの一部にハンドメイドとしてその人独特のリボン刺しゅうを得ることができる最大の効果がある。即ち、その刺しゅう模様が一種類であっても、リボン等の連続状装飾体Ｃを好みの色，太さ，幅等によって極めて多くのバリエーションとしてできるものである。さらに、その刺しゅう形態に対して、リボンや紐によるアクセントを付けるスイング刺しゅう等を設けることで、刺しゅう模様にさらに付加価値を付けることが簡単にできる利点がある。
【０００６】
第二に、上記の、所定の位置の穴かがりＲを表示する穴位置表示データを記憶する穴表示データ記憶部１０と、穴かがりＲの位置を適宜変更する穴位置変更手段１１と、穴かがりＲの位置を変更した位置に縫い目を形成する穴位置変更データと変更した穴位置を表示する穴位置変更表示データとを記憶する位置変更データ記憶手段１３とを備えてなる刺しゅう機能付きミシンとしたことにより、その穴かがりＲを模様表示手段５上の操作にて適宜変更することができ、これによって、さらに多くの刺しゅうバリエーションを提供することができる利点がある。
【０００７】
第三に、上記に加えて、穴かがりＲの穴径を記憶する穴径データ記憶手段１４と、穴かがりＲの穴径を適宜変更する穴径変更手段１５と、変更した穴径として縫い目を形成する穴径変更データと変更した穴径を表示する穴径変更表示データとを記憶する穴径変更データ記憶手段１６とを備えてなる刺しゅう機能付きミシンとしたことにより、請求項１の効果の他、穴かがりＲの穴径までも適宜変更することができ、好みのリボン幅等に良好に対応できる利点がある。
【０００８】
第四に、上記に加えて模様データは、刺しゅう模様の縫い目と、穴かがりＲを示す縫い目とを順次異なる時間に形成可能としてなる刺しゅう機能付きミシンとしたことにより、刺しゅう糸は、刺しゅう模様全体は連続して縫い目形成され、次に穴かがりＲ縫いでは、刺しゅう糸がジャンプ糸を介して、隣接する穴かがりＲ，Ｒが連続するようにして縫い目形成される。即ち、刺しゅう模様縫い目の刺しゅう糸と、穴かがりＲ縫い目の刺しゅう糸とは相互に独立した状態となり、穴かがりＲの中央箇所を穴あけし、その穴かがりＲ縫い目を糸ほつれ等が仮に生じても、刺しゅう模様縫い目には、糸ほつれ等の損傷も一切与えないように縫製できる極めて重要なる利点がある。
【０００９】
第五に、上記に加えて前記穴位置形成データは、リボン等を重ねるために、重複する位置に形成されてなる刺しゅう機能付きミシンとしたことにより、その穴かがりＲの縫い目が重複し、隙間がなくなり、補強がより一層できるとともに、リボン刺しゅうしたときの穴位置箇所の布地が露出せず、美観を良好にできる利点がある。
【実施例】
【００１０】
以下、本発明の第１実施例を図１，図２，図８乃至図１０に基づいて説明する。まず、第１実施例について説明するに、刺しゅう機能付きミシンには、刺しゅう縫いのみが可能な刺しゅうミシン並びに通常縫い及び刺しゅう縫いが可能な複合刺しゅうミシンが含まれる。その刺しゅう機能付きミシンは、予めコンピュータプログラムを組み込み、中央演算処理装置（ＣＰＵ）１を含む制御装置により種々の刺しゅう縫いが可能に構成されている。
【００１１】
模様選択手段２は、後述の模様表示手段５に表示された複数の刺しゅう模様群から適宜の模様を模様選択キー２ａの操作により選択する手段である。該模様選択キー２ａの動作によりキー信号が発生し、該キー信号の入力にて信号変換手段を介して選択された刺しゅう模様の適宜の選択信号が発生するものである。また、模様データ記憶手段（ＲＯＭ）３は、前記刺しゅう機能付きミシンの本体内に刺しゅう縫い目用の模様データが記憶されているものであり、Ｘデータ，Ｙデータなる模様データが記憶され、該模様データにて適宜な刺しゅう模様の縫い目が形成されるためのものである。
【００１２】
表示データ記憶手段（ＲＯＭ）４は、刺しゅう機能付きミシンの本体内に複数の刺しゅう模様を後述の模様表示手段５に表示するための表示データが記憶されているものである。該表示データは、前記模様データ記憶手段３に記憶されている模様データと対の関係を有している。この説明では、模様データ記憶手段３と表示データ記憶手段４とを別々としているが、実際には、全体をＲＯＭで、データ記憶手段として構成されることが多い。これは外部手段として記憶されることもある。また、模様表示手段５は、前記表示データ記憶手段４に記憶された複数の刺しゅう模様群を、前記模様選択手段２にて所望の刺しゅう模様を適宜選択可能にするために表示する手段であり、液晶表示手段（ＬＣＤ）にて構成されている。
【００１３】
穴かがり位置データ記憶部（ＲＯＭ）６は、リボン，ビーズ，紐（ファッションロープ），鎖等の連続状装飾体Ｃ（図１９参照）を通過させるための穴位置形成データを記憶する手段であり、該穴位置形成データは、刺しゅう模様の内部又は外部に複数設けられるように穴かがりＲ（穴位置に穴かがりする概念）の縫い目を形成するためのものである。その穴かがり位置データ記憶部（ＲＯＭ）６は、前記模様データ記憶手段（ＲＯＭ）３の内部に含まれる構成となっているが、刺しゅう模様縫い目と穴かがりＲ縫い目とは別々のデータであり、異なる時間（刺しゅう模様縫いが先で穴かがりＲ縫いが後、又はこの逆）に縫い目形成可能に構成されている。また、場合よっては、穴かがり位置データ記憶部（ＲＯＭ）６は、模様データ記憶手段（ＲＯＭ）３とは別に設けられることもある。何れの場合も、刺しゅう縫いと穴かがりＲ縫いとが対となるようにデータとして記憶されている。
【００１４】
穴かがりＲとしては、連続状装飾体Ｃを通過させるための穴あけ位置用であり、その穴かがりＲの穴種（穴の種類）は、その刺しゅうにより一定であるが、刺しゅうの種類に応じて、図１７（Ａ）乃至（Ｈ）及び図１８（Ａ）乃至（Ｇ）に示すような最適な穴種形態が用いられるが、これらの実施例に制限されない。その穴かがりＲは、刺しゅう模様の内部（図８参照）又は外部（図９参照）に、さらには、リボン刺しゅうの他の一例のスイング刺しゅうをするための刺しゅう模様の外周の丸枠ｆの外側（図１０参照）に縫製されるものである。
【００１５】
第１モード選択手段７は、通常縫いモードと刺しゅう縫いモードとを選択する手段であり、第２モード選択手段８は、全体を刺しゅう縫いする通常刺しゅう縫いモードと刺しゅう縫いと同時に穴かがりＲ縫いのモード（穴かがりＲ縫いでは、そこに穴あけし、リボン，ビーズ，紐，鎖等の連続状装飾体Ｃを通過させるためであるが、代表的なモードとして、以下、単に「リボン刺しゅうモード」という）とを選択する手段である。該リボン刺しゅうモードの場合には、刺しゅう縫いと共に穴かがりＲ縫いが行なわれる。その第１モード選択手段７，第２モード選択手段８を適宜選択して、前記中央演算処理装置（ＣＰＵ）１に入力される。
また、刺しゅう機能付きミシンを始動させるためのスタートキー、停止させるためのストップキーとしての操作キー部９が設けられている。
【００１６】
前記刺しゅう機能付きミシンには、ステッピングモータ駆動回路２０，Ｘ軸駆動用ステッピングモータ２１，Ｙ軸駆動用ステッピングモータ２２，さらにはミシンモータ駆動回路２３，ミシンモータ２４がそれぞれ設けられている。そのステッピングモータ駆動回路２０の出力信号により、Ｘ軸駆動用ステッピングモータ２１，Ｙ軸駆動用ステッピングモータ２２それぞれ駆動可能に設けられている。また、ミシンモータ駆動回路２３の出力信号により、ミシンモータ２４が駆動可能に設けられている。また、該ミシンモータ２４には、この回転速度を適宜指令する回転速度指令手段２５を有し、且つミシンモータ回転速度検出手段２６が備えられ、ミシンモータ２４の回転速度を制御するように構成されている。また、針位置を検出する上軸回転位相検出手段２７が設けられ、前記中央演算処理置（ＣＰＵ）１に接続されている。
【００１７】
次に、第１実施例の作用について、図２に示すフローチャートにより説明すると、まず、刺しゅう機能付きミシンの電源をＯＮして開始する。すると、模様表示手段５には、普通縫い、刺しゅう縫いが表示される。そして、刺しゅうをするか否かの判断をなし（Ｓ１参照）、第１モード選択手段７にて刺しゅうモードが選択された場合は（ＹＥＳの場合）、刺しゅうモードとなる（Ｓ２参照）。次いで、リボン刺しゅうをするか否かの判断をなし（Ｓ３参照）、第２モード選択手段８にて刺しゅうモードが選択された場合は（ＹＥＳの場合）、リボン刺しゅうモードとなる（Ｓ４参照）。そして、該リボン刺しゅうモードによって、刺しゅう模様群を前記表示データ記憶手段４から読み出し（Ｓ５参照）、これら刺しゅう模様群を模様表示手段５に表示する（Ｓ６参照）。そして、所望の刺しゅう模様を模様選択手段２の模様選択キー２ａを操作して適宜選択する（Ｓ７参照）。
そして、その刺しゅう模様を別のものを選択するか否か、即ち、刺しゅう模様を変更するか否かの判断をなす（Ｓ８参照）。刺しゅう模様を変更しない場合（ＮＯの場合）、即ち、刺しゅう模様がそれでよいとして選択され、確定した刺しゅう模様が模様表示手段５に模様表示される（Ｓ９参照）。そのＳ８において刺しゅう模様を変更する場合（ＹＥＳの場合）、Ｓ６の手前に戻る。
【００１８】
そして刺しゅう機能付きミシンに刺しゅう枠を取り付ける（Ｓ１０参照）。刺しゅう縫いを開始するか否かの判断をなす（Ｓ１１参照）。刺しゅう縫いの開始を選択した場合（ＹＥＳの場合）、即ち、操作キー部９を操作し、刺しゅう模様の縫製作業を開始し、これを縫製し（Ｓ１２参照）、刺しゅう模様の縫製を終了し（Ｓ１３参照）、次いで、穴かがりＲ縫いを開始し、穴かがりＲ縫いを行い（Ｓ１４参照）、穴かがりＲ縫いを終了する（Ｓ１５参照）。最後に縫製の作業終了か否かを判断し（Ｓ１６参照）、作業終了を選択した場合、完全に終了する。
また、図２に示すフローチャートでは、刺しゅう模様縫いが先で、この終了後に穴かがりＲ縫いを行なうものであるが、これに限定されることなく、穴かがりＲ縫いを先に行い、この終了後に、刺しゅう模様縫いを行なうようにすることもある。
【００１９】
何れにしても、その刺しゅう模様縫いと穴かがりＲ縫いとを異なる時間となるように順次行なう（同時に行なわない）ことが重要なことである。このように、刺しゅう模様縫いと穴かがりＲ縫いとを異なる時間となるようにすることで、その刺しゅう糸は、刺しゅう模様全体は連続して縫い目形成され、穴かがりＲ縫いでは、刺しゅう糸がジャップ糸を介して、隣接する穴かがりＲ，Ｒが連続するようにして縫い目形成される。すると、その穴かがりＲ箇所の内部を穴あけし、このときに、穴かがりＲ縫い目に、糸切れ・糸ほつれ等の損傷が仮に生じても、刺しゅう模様縫い目には、ほつれ等の損傷も一切与えないように縫製できる。なお、穴あけ時の穴かがりＲ箇所への損傷を防止するために、無色透明なる適宜な接着剤を使用することもある。
【００２０】
また、Ｓ１１において刺しゅう縫いの開始を選択しない場合や、Ｓ１６において作業終了を選択しない場合、Ｓ６の刺しゅう模様群の表示している状態の手前に戻る。また、Ｓ１で第１モード選択手段７にて刺しゅうモードを選択しない場合は（ＮＯの場合）、通常縫いモードとする（Ｓ１７参照）。この場合は、通常縫いであり、Ｓ１８〜Ｓ２１のようになり、詳細な説明は省略する。また、Ｓ３にて、第２モード選択手段８にて刺しゅうモードを選択しない場合は（ＮＯの場合）、通常刺しゅうモードが選択され（Ｓ２２参照）、この後のＳ２３乃至Ｓ３２は、通常の刺しゅう縫いであり、説明を省略する。
【００２１】
次に、本発明の第２実施例について説明すると、前記第１実施例の構成に加えて、穴かがりＲの位置変更が可能な手段が包含された構成である。即ち、図３のブロック図に示す通りであり、リボン刺しゅうモードとした場合に、刺しゅう模様は何等変化しないが、その内部又は周囲にある穴かがりＲの位置のみをＸ方向，Ｙ方向に適宜変更可能とし、その変更位置に穴かがりＲ縫い目を形成するものであり、穴表示データ記憶部１０と、前記穴かがりＲの位置を適宜変更する穴位置変更手段１１と、位置変更データ記憶手段１３とが、前記第１実施例の構成に加えられている。該第１実施例の構成は、前述と同一であり、説明を省略する。
【００２２】
穴表示データ記憶部（ＲＯＭ）１０は、複数の刺しゅう模様の内部又は外部に、穴かがりＲがどのように設けられるかを穴位置表示データとして記憶するものである。実際には、前記表示データ記憶手段４における刺しゅう模様の表示データの一部に含まれる構成となっている。このような穴表示データ記憶部（ＲＯＭ）１０に格納された穴位置表示データを読みだし、これによって模様表示手段５に穴かがりＲの印が表示される。
【００２３】
穴位置変更手段１１は、ＪＯＧキーとして、前記模様表示手段５に表示された穴かがりＲの位置をＸ方向，Ｙ方向に適宜移動可能に設けられている。この穴位置変更手段１１の中央箇所に、穴位置変更用スタート／ストップキー１２が設けられている。この操作によって、穴位置変更手段１１の開始・終了となる。その穴位置変更手段１１も前記模様選択手段２に含まれることもある。
【００２４】
位置変更データ記憶手段（ＲＡＭ）１３は、穴かがりＲの穴位置を変更した位置に縫い目なる穴かがりＲ縫いを形成する穴位置変更データと，変更した穴位置を表示する穴位置変更表示データとを記憶する手段である。即ち、穴位置を所望の位置に変更することを読み込み，読みだし、その変更位置に穴かがりＲ縫いを形成する穴位置変更データと、穴位置を変更したことを前記模様表示手段５に表示する穴位置変更表示データとを総称して位置変更データといい、穴位置変更データと穴位置変更表示データとは対の関係にある。
【００２５】
その位置変更データ記憶手段１３の穴位置変更データは、縫い目の位置のみが変更可能として構成され、その変更した位置に、前記穴かがり位置データ記憶部６に記憶されたデータに基づいて、穴かがりＲが縫い目形成される。また、位置変更データ記憶手段１３の穴位置変更表示データは、模様表示手段５に表示された位置のみが適宜変更可能に構成され、その変更した模様表示手段５の適宜の位置に、前記穴表示データ記憶部１０に記憶された穴かがりＲが表示されるように構成されている。
【００２６】
次に、第２実施例の作用について図４に示すフローチャートにより説明すると、ステップのＳ９とＳ１０との間に、穴位置変更サブルーチンなる図５（Ａ）に示すフローチャートが挿入されたものである。即ち、刺しゅう模様はそのままとし、穴かがりＲの位置を変更するか否かの判断をなし（Ｓ３３参照）、穴かがりＲの位置を変更する場合（ＹＥＳの場合の場合）、穴位置変更用スタート／ストップキー１２を押して、穴位置変更を開始し、ＪＯＧキーとしての穴位置変更手段１１を操作して穴位置を適宜Ｘ−Ｙ方向に位置変更する（Ｓ３４参照）。そして穴位置が確定したか否かの判断をなし（Ｓ３５参照）、穴位置が確定したと判断した場合には、その位置でＪＯＧキーを止め、さらに穴位置変更用スタート／ストップキー１２を押して穴位置変更を終了し、位置変更データ記憶手段１３に位置変更データが記憶され、穴変更位置を確定する（Ｓ３６参照）。以下のステップは、図４に示すように、Ｓ１０乃至Ｓ３２を実行するものであり、第１実施例と同様となり、説明は省略する。
【００２７】
次に、第３実施例について説明すると、前記第１実施例の構成に加えて、穴かがりＲの穴径を適宜変更が可能な手段が包含された構成である。即ち、図６のブロック図に示す通りであり、リボン刺しゅうモードとした場合に、刺しゅう模様は何等変化しないが、その内部又は周囲にある穴かがりＲの穴径を適宜変更可能とし、変更した穴径に穴かがりＲの縫い目を形成するものであり、穴径データ記憶手段１４と、前記穴かがりＲの位置を適宜変更する穴径変更手段１５と、穴径変更データ記憶手段１６とが、前記第１実施例の構成に加えられている。該第１実施例の構成は、前述と同一であり、説明を省略する。
【００２８】
穴径データ記憶手段（ＲＯＭ）１４は、穴かがりＲの穴径がどのような値になっているかを穴径データとして記憶するものである。この穴径データは一般的な穴径として刺しゅう機能付きミシンに内蔵されている。穴径変更手段１５は、前記穴かがりＲの適宜の穴径のものから適宜の穴径を選択し、その選択された穴径に基づき穴径データ等を演算するように構成されている。例えば、リボン幅を広くする場合、その数値を入れると、穴かがりＲの穴径が演算されるように構成されている。
【００２９】
穴径変更データ記憶手段（ＲＡＭ）１６は、穴径を変更した形状の縫い目なる穴かがりＲの縫いを形成する穴径変更データと，変更した穴径を表示する穴径変更表示データとを記憶する手段である。即ち、穴径を所望の大きさに変更することを読み込み，読みだし、その変更した穴径値として穴かがりＲ縫いを形成する変更データと、穴径を変更したことを前記模様表示手段５に表示する穴径変更表示データとを総称して穴径変更データといい、その穴径変更データが読み込み，読みだし可能に構成されている。その穴径変更データと穴径変更表示データとは対の関係にある。
【００３０】
前記穴径変更手段１５を操作して模様表示手段５に表示された穴かがりＲの穴径を変更すると、穴径が変更され穴径表示データとして演算され、且つ模様表示手段５に変更された穴径が表示されると共に穴径変更表示データとして記憶され、さらに該穴径変更表示データに関連した縫い目なる穴かがりＲの縫いの穴径を変更するように穴径変更データとして書換えられて記憶される。その後に、リボン刺しゅうした場合には、その穴径変更データが読みだされて、変更した穴径に穴かがりＲを形成するように構成されている。また、穴径を変更した場合には、前記模様表示手段５の表示される刺しゅう模様と同時に、該刺しゅう模様の内部又は外部に複数の穴かがりＲが表示される。
【００３１】
次に、第３実施例の作用について図２及び図７に示すフローチャートにより説明すると、図２のステップＳ９とＳ１０との間に、穴径変更サブルーチン（図７参照）が挿入されたものである。即ち、刺しゅう模様及び穴位置はそのままとし、穴かがりＲの穴径を変更するか否かの判断をなし（Ｓ３７参照）、穴かがりＲの穴径を変更する場合（ＹＥＳの場合の場合）、穴径変更手段１５を操作して適宜穴径を変更して入力する（Ｓ３８参照）。そして穴径を演算し（Ｓ３９参照）、穴径が確定したか否かの判断をなし（Ｓ４０参照）、穴位置が確定したと判断した場合には、その穴径変更手段１５を操作を止め、穴径変更データ記憶手段（ＲＡＭ）１６に確定した穴径変更データが記憶され、穴径が確定する（Ｓ４１参照）。以下のステップは、図２に示すように、Ｓ１０乃至Ｓ３２を実行するものであり、第１実施例と同様となり、説明は省略する。
【００３２】
次に、第４実施例について説明すると、前記第２実施例の構成（主な構成として穴位置変更が可能）に加えて、穴かがりＲの穴径を適宜変更が可能な手段が包含された構成である。即ち、ブロック図としては図３に示すブロック図に、穴径変形する所望の手段を加えたものであり、リボン刺しゅうモードとした場合に、刺しゅう模様は何等変化しないが、その内部又は周囲にある穴かがりＲの穴径を適宜変更可能とし、変更した穴径に穴かがりＲの縫い目を形成するものであり、穴径データ記憶手段１４と、前記穴かがりＲの穴径を適宜変更する穴径変更手段１５と、穴径変更データ記憶手段１６とが、前記第２実施例の構成に加えられている。該第２実施例の構成は、前述と同一であり、また、穴径データ記憶手段１４と、前記穴かがりＲの穴径を適宜変更する穴径変更手段１５と、穴径変更データ記憶手段１６は第３実施例とそれぞれ同一であり、説明を省略する。
【００３３】
次に、第４実施例の作用について図４及び図７に示すフローチャートにより説明すると、図４の穴位置変更サブルーチン〔図５（Ａ）参照〕と、ステップＳ１０との間に、穴径変更サブルーチン（図７参照）が挿入されたものである。即ち、刺しゅう模様及び穴位置はそのままとし、穴かがりＲの穴径を変更するか否かの判断をなす（Ｓ３７参照）、これ以下のステップＳ３８乃至Ｓ４１は前記第３実施例の作用と同様であり、説明は省略する。  
【００３４】
また、その模様データの一部に穴かがりＲの縫い目データが格納されて、図１５に示すように、例えば、花びらの一つおき〔同図（Ａ）参照〕、即ち、刺しゅう模様とリボン刺しゅうとが交互になるように構成されたり、或いは、二つおき〔同図（Ｂ）参照〕、即ち、花びら２つが刺しゅう模様として連続し、次いで１つのリボン刺しゅうとが交互になるように構成されることもある。さらに、図１６（Ａ）に示すように、刺しゅう模様の全体に、穴かがりＲが縫製されるように制御構成されることもある。この場合には、図１６（Ｂ）又は（Ｃ）のようにリボン刺しゅうを施すものである。何れにしても、その穴かがりＲは刺しゅう模様の適宜の箇所又は全体にできるように構成されることもある。
【図面の簡単な説明】
【００３５】
【図１】本発明の第１実施例のブロック図
【図２】本発明の第１実施例のフローチャート
【図３】本発明の第２実施例のブロック図
【図４】本発明の第２実施例のフローチャート
【図５】（Ａ）は本発明の第２実施例の位置変更サブルーチン  （Ｂ）は位置変更を表す状態図
【図６】本発明の第３実施例のブロック図
【図７】穴径変更サブルーチン
【図８】（Ａ）は本発明の第１実施例によって縫製された穴かがり（拡大部を含む）付き刺しゅうの平面図  （Ｂ）は（Ａ）の穴かがり（拡大部を含む）箇所を穴あけした状態の刺しゅうの平面図  （Ｃ）は（Ｂ）の複数の穴間にリボンを通過させてリボン刺しゅうを設けた平面図  （Ｄ）は通常刺しゅうの平面図
【図９】（Ａ）は本発明の第１実施例によって縫製された穴かがり付き刺しゅうの別の実施例の平面図  （Ｂ）は（Ａ）の穴かがり箇所を穴あけした状態の刺しゅうの平面図  （Ｃ）は（Ｂ）の複数の穴間にリボンを通過させてリボン刺しゅうを設けた平面図  （Ｄ）は通常刺しゅうの平面図
【図１０】（Ａ）は本発明の第１実施例によって縫製された穴かがり付き刺しゅうのさらに別の実施例の平面図  （Ｂ）は（Ａ）の穴かがり箇所を穴あけした状態の刺しゅうの平面図  （Ｃ）は（Ｂ）の複数の穴間にリボンを通過させてリボン刺しゅうを設けた平面図
【図１１】（Ａ）は本発明の第２実施例によって縫製された穴かがり付き刺しゅうにおいて、穴位置を変更する状態を示す平面図  （Ｂ）は（Ａ）の穴かがり箇所を穴あけした状態の刺しゅうの平面図  （Ｃ）は（Ｂ）の複数の穴間にリボンを通過させてリボン刺しゅうを設けた平面図
【図１２】（Ａ）は本発明の第２実施例によって縫製された穴かがり付き刺しゅうにおいて、穴かがりの数を減少させ、結果的に位置変更する状態を示す平面図  （Ｂ）は（Ａ）の穴かがり箇所を穴あけした状態の刺しゅうの平面図  （Ｃ）は（Ｂ）の複数の穴間にリボンを通過させてリボン刺しゅうを設けた平面図
【図１３】（Ａ）は図６（Ａ）にて縫製された穴かがり付き刺しゅうにおいて穴かがり幅を広く変更した実施例の平面図  （Ｂ）は（Ａ）の穴かがり箇所を穴あけした状態の刺しゅうの平面図  （Ｃ）は（Ｂ）の複数の穴間にリボンを通過させてリボン刺しゅうを設けた平面図
【図１４】（Ａ）は図６（Ａ）にて縫製された穴かがり付き刺しゅうにおいて穴かがりの穴径を大きくし、且つ位置変更した実施例の平面図  （Ｂ）は（Ａ）の穴かがり箇所を穴あけした状態の刺しゅうの平面図  （Ｃ）は（Ｂ）の複数の穴間にリボンを通過させてリボン刺しゅうを設けた平面図
【図１５】（Ａ）及び（Ｂ）は、刺しゅうとリボン刺しゅうとを適宜混在させた平面図
【図１６】（Ａ）は刺しゅう模様全てに適宜な穴かがりを形成した一部平面図  （Ｂ）及び（Ｃ）は、（Ａ）の穴かがり箇所を穴あけした後にリボン刺しゅうを設けた平面図
【図１７】（Ａ）乃至（Ｈ）は、穴かがりの実施例の平面図
【図１８】（Ａ）乃至（Ｅ）は、穴かがりの他の実施例の平面図
【図１９】（Ａ）はリボンなる連続状装飾体の一部平面図  （Ｂ）は紐（ファッションロープ）なる連続状装飾体の一部平面図  （Ｃ）は鎖なる連続状装飾体の一部断面図  （Ｄ）はビーズなる連続状装飾体の一部断面図
【図２０】（Ａ）は穴かがり付き刺しゅうをした布地の一部斜視図  （Ｂ）は（Ａ）の穴かがり箇所を穴あけしている状態の布地の一部斜視図  （Ｃ）は（Ｂ）の穴あけが完了した状態の布地の一部斜視図
【符号の説明】
【００３６】
２…模様選択手段  ３…模様データ記憶手段  ４…表示データ記憶手段  ５…模様表示手段  １０…穴表示データ記憶部  １１…穴位置変更手段  １３…位置変更データ記憶手段  １４…穴径データ記憶手段  １５…穴径変更手段  １６…穴径変更データ記憶手段  Ｃ…連続状装飾体  Ｒ…穴かがり
【図１】
2005046638.tif 000003
【図２】
2005046638.tif 000004
【図３】
2005046638.tif 000005
【図４】
2005046638.tif 000006
【図５】
2005046638.tif 000007
【図６】
2005046638.tif 000008
【図７】
2005046638.tif 000009
【図８】
2005046638.tif 000010
【図９】
2005046638.tif 000011
【図１０】
2005046638.tif 000012
【図１１】
2005046638.tif 000013
【図１２】
2005046638.tif 000014
【図１３】
2005046638.tif 000015
【図１４】
2005046638.tif 000016
【図１５】
2005046638.tif 000017
【図１６】
2005046638.tif 000018
【図１７】
2005046638.tif 000019
【図１８】
2005046638.tif 000020
【図１９】
2005046638.tif 000021
【図２０】
2005046638.tif 000022